(57)【要約】【課題】遮光体を用いることなく暗部を含む発光領域を形成できる、照明器具を提供する。【解決手段】コリメートされた光を出射する光源部と、光源部の光出射側に設けられ、光源部からの光が入射する光入射部と、光入射部から入射した光を出射させる光出射部と、を有する第１光学部材と、を備え、光入射部は、第１入射部と、第１入射部とは異なる位置に設けられる第２入射部と、を有し、光出射部は、第１入射部における光源部と反対側に設けられる第１領域と、第１領域と異なる位置に設けられて第２入射部に入射した光を出射させる第２領域と、を有し、光源部からの光は、第１光学部材の光出射部において、第１領域から出射されずに第２領域から出射される照明器具。【選択図】図４
2022002185.tif 000002
【特許請求の範囲】
【請求項１】
コリメートされた光を出射する光源部と、
前記光源部の光出射側に設けられ、前記光源部からの光が入射する光入射部と、前記光入射部から入射した前記光を出射させる光出射部と、を有する第１光学部材と、を備え、
前記光入射部は、第１入射部と、前記第１入射部とは異なる位置に設けられる第２入射部と、を有し、
前記光出射部は、前記第１入射部における前記光源部と反対側に設けられる第１領域と、前記第１領域と異なる位置に設けられて前記第２入射部に入射した光を出射させる第２領域と、を有し、
前記光源部からの光は、前記第１光学部材の前記光出射部において、前記第１領域から出射されずに前記第２領域から出射される
照明器具。
【請求項２】
前記光源部は、光源と、前記光源からの光をコリメートして出射する第２光学部材と、を有する
請求項１に記載の照明器具。
【請求項３】
前記第２光学部材は、前記光源からの光をコリメートして入射させる第３入射部と、前記第３入射部から入射した光を反射する反射部と、前記反射部で反射された光を導光させる導光部と、を含み、
前記導光部は、前記反射部で反射された光を前記第１光学部材に向けて反射する反射構造を有する
請求項２に記載の照明器具。
【請求項４】
前記反射構造は複数の反射面を含み、
前記複数の反射面は、前記導光部の延在方向に沿って配列されるとともに、前記反射構造による光反射方向に沿って各々の位置を異ならせている
請求項３に記載の照明器具。
【請求項５】
前記第１光学部材の前記光出射部は、少なくとも前記第２領域の表面に設けられた光拡散構造を有する
請求項１から請求項４のいずれか一項に記載の照明器具。
【請求項６】
前記第１光学部材の前記光出射部は、前記第１領域の表面に設けられた平坦面を有する
請求項１から請求項５のいずれか一項に記載の照明器具。
【請求項７】
前記第１光学部材は、前記光源部の光出射側に向かって拡がるＶ字状の断面形状を有し、
前記第１入射部は、前記第１光学部材のＶ字先端部に設けられたＶ溝で構成される
請求項１から請求項６のいずれか一項に記載の照明器具。
【請求項８】
前記第１光学部材の前記第１入射部に入射した前記光源部からの光は、前記第１光学部材内を伝搬しつつ前記光出射部の前記第２領域から出射される
請求項１から請求項７のいずれか一項に記載の照明器具。
【請求項９】
前記光出射部の第１領域と前記第１入射部とは、互いの幅及び位置同士が対応する
請求項１から請求項７のいずれか一項に記載の照明器具。
【請求項１０】
請求項１から９のいずれか一項に記載の前記照明器具を車両用照明に用いた
車両用灯具。
【発明の詳細な説明】
【技術分野】
【０００１】
本発明は、照明器具及び車両用灯具に関するものである。
【背景技術】
【０００２】
従来、光を照射する明部と光を照射しない暗部とを含む発光領域を形成する照明器具として、導光体から灯具照射方向に出射される光を遮光体で遮光することで暗部および明部を含む発光領域を形成した車両用信号灯がある（例えば、下記特許文献１参照）。
【先行技術文献】
【特許文献】
【０００３】
【特許文献１】特許第５９６１００８号公報
【発明の概要】
【発明が解決しようとする課題】
【０００４】
しかしながら、上記車両用信号灯では、遮光体が別途必要となるため、部品点数が増えることによるコストアップや重量増加という課題があった。
【０００５】
本発明は、上記の課題を解決するためになされたものであって、遮光体を用いることなく暗部を含む発光領域を形成できる、照明器具及び車両用灯具を提供することを目的とする。
【課題を解決するための手段】
【０００６】
本発明の一態様に従えば、コリメートされた光を出射する光源部と、前記光源部の光出射側に設けられ、前記光源部からの光が入射する光入射部と、前記光入射部から入射した前記光を出射させる光出射部と、を有する第１光学部材と、を備え、前記光入射部は、第１入射部と、前記第１入射部とは異なる位置に設けられる第２入射部と、を有し、前記光出射部は、前記第１入射部における前記光源部と反対側に設けられる第１領域と、前記第１領域と異なる位置に設けられて前記第２入射部に入射した光を出射させる第２領域と、を有し、前記光源部からの光は、前記第１光学部材の前記光出射部において、前記第１領域から出射されずに前記第２領域から出射される照明器具が提供される。
【０００７】
また、上記照明器具において、前記光源部は、光源と、前記光源からの光をコリメートして出射する第２光学部材と、を有する構成としてもよい。
【０００８】
また、上記照明器具において、前記第２光学部材は、前記光源からの光をコリメートして入射させる第３入射部と、前記第３入射部から入射した光を反射する反射部と、前記反射部で反射された光を導光させる導光部と、を含み、前記導光部は、前記反射部で反射された光を前記第１光学部材に向けて反射する反射構造を有する構成としてもよい。
【０００９】
また、上記照明器具において、前記反射構造は複数の反射面を含み、前記複数の反射面は、前記導光部の延在方向に沿って配列されるとともに、前記反射構造による光反射方向に沿って各々の位置を異ならせている構成としてもよい。
【００１０】
また、上記照明器具において、前記第１光学部材の前記光出射部は、少なくとも前記第２領域の表面に設けられた光拡散構造を有する構成としてもよい。
【００１１】
また、上記照明器具において、前記第１光学部材は、前記光源部の光出射側に向かって拡がるＶ字状の断面形状を有し、前記第１入射部は、前記第１光学部材のＶ字先端部に設けられたＶ溝で構成される構成としてもよい。
【００１２】
また、上記照明器具において、前記第１光学部材の前記第１入射部に入射した前記光源部からの光は、前記第１光学部材内を伝搬しつつ前記光出射部の前記第２領域から出射される構成としてもよい。
【発明の効果】
【００１３】
本発明によれば、遮光体を用いることなく暗部を含む発光領域を形成できる、照明器具および車両用信号灯を提供できる。
【図面の簡単な説明】
【００１４】
【図１】実施形態の車両用信号灯の分解斜視図である。
【図２】光源部の要部構成を示す図である。
【図３】図２の符号Ａで示す領域の拡大図である。
【図４】第１光学部材の周辺構成を示す断面図である。
【図５】第１光学部材のＶ字形状およびＶ溝の開き角の関係を示す拡大図である。
【図６】変形例に係る光源部の構成を示す図である。
【図７】変形例に係る光源部の構成を示す図である。
【発明を実施するための形態】
【００１５】
以下、本発明の一実施形態である照明器具について図面を参照しながら説明する。
以下の説明で用いる図面は、特徴を分かり易くするために、便宜上特徴となる部分を拡大して示している場合があり、各構成要素の寸法比率などが実際と同じであるとは限らない。本実施形態の照明器具は、例えば、テールランプ、ストップランプ、ターンシグナルランプ、バックランプ等の車両用信号灯（車両用灯具）に本発明を適用したものである。
【００１６】
以下に示す図面では、ＸＹＺ直交座標系を設定して各部材の構成を説明する。Ｘ軸方向は車両用信号灯が取り付けられる車両の幅方向に相当し、Ｙ軸方向は車両の上下方向に相当し、Ｚ軸方向は車両の前後方向に相当する。以下、車両の幅方向、車両の上下方向、車両の前後方向を、単に「幅方向Ｘ」、「上下方向Ｙ」、「前後方向Ｚ」とそれぞれ称す。
【００１７】
図１は本実施形態の車両用信号灯の分解斜視図である。図１に示すように、本実施形態の車両用信号灯１は、光源部２と、第１光学部材３と、エクステンション４と、を備えている。光源部２はコリメートされた平行光ＬＬを出射する。第１光学部材３は、光源部２の光出射側（＋Ｚ側）に設けられる。エクステンション４は、第１光学部材３の光出射側（＋Ｚ側）に設けられ、車両用信号灯１の意匠性を高める部材である。エクステンション４は、遮光性を有する黒色の樹脂で構成され、第１光学部材３の光出射側を除く部分を覆う。
【００１８】
本実施形態において、光源部２は、光源１０と、第２光学部材１１と、を有する。光源１０は、例えば、赤色の光Ｌを出射するＬＥＤ素子１０ａを複数（本実施形態では２つ）含む。複数のＬＥＤ素子１０ａは不図示の基板に実装されている。第２光学部材１１は、光源１０からの光Ｌをコリメートして出射する。
【００１９】
図２は光源部２の要部構成を示す図である。具体的に図２は図１のＸＺ平面に沿う面による断面図である。
図２に示すように、第２光学部材１１は、幅方向Ｘの一方側（−Ｘ側）から他方側（＋Ｘ側）に向かって延びる部材である。第２光学部材１１は、例えばポリカーボネイトやアクリル等の透明樹脂やガラスなど、空気よりも屈折率の高い光透過性部材からなる。
【００２０】
第２光学部材１１は、光入射部（第３入射部）１２と、反射部１３と、導光部１４と、を含む。光入射部１２、反射部１３および導光部１４は一体に設けられている。
光入射部１２は、光源１０からの光Ｌをコリメートして入射させる。光入射部１２は複数の光入射面１２ａを有する。複数の光入射面１２ａは光源１０の各ＬＥＤ素子１０ａに対応して設けられる（図１参照）。つまり、光入射部１２における光入射面１２ａの数と光源１０におけるＬＥＤ素子１０ａの数とは同じである。各光入射面１２ａは対応するＬＥＤ素子１０ａから出射された光Ｌをそれぞれコリメートして入射させるように設計されている。各光入射面１２ａはＬＥＤ素子１０ａから大きい放射角で出射される光Ｌを飲み込み可能に形成されている。
【００２１】
反射部１３は、光源１０の光軸２ａに対して４５度の角度をなすように設けられた反射面１３ａを有する。反射部１３は、光入射部１２から入射した光Ｌを幅方向Ｘの奥側（＋Ｘ側）に向けて反射する。本実施形態において、光入射部１２から入射した光Ｌは反射部１３の反射面１３ａにおいて全反射される。
【００２２】
導光部１４は、反射部１３で反射された光Ｌを幅方向Ｘの手前側（−Ｘ側）から奥側（＋Ｘ側）に向かって導光させる。導光部１４は、第１面１４ａと第２面１４ｂとを有する。第１面１４ａは前後方向Ｚの手前側（−Ｚ側）を向く面であり、第２面１４ｂは前後方向Ｚの奥側（＋Ｚ側）を向く面である。
【００２３】
導光部１４は、幅方向Ｘの手前側（−Ｘ側）から奥側（＋Ｘ側）に向かって、前後方向Ｚにおける厚みが小さくなる先細り形状を有する。第１面１４ａは、幅方向Ｘの手前側（−Ｘ側）から奥側（＋Ｘ側）に向かって、前後方向Ｚの奥側（＋Ｚ側）に傾斜する。第２面１４ｂは、幅方向Ｘと平行な平面である。
【００２４】
導光部１４は、第１光学部材３に向けて光源１０からの光Ｌを反射する反射構造１５を有する。反射構造１５は第１面１４ａに設けられている。反射構造１５は第１面１４ａの表面を所定形状にカットすることで形成される。
【００２５】
図３は第１面１４ａに設けられた反射構造１５の要部構成を示す拡大図である。具体的に図３は図２の符号Ａで示す領域の拡大図である。
図３に示すように、反射構造１５は、複数の反射面１６と、複数の反射面１６同士を接続する複数の接続面１７と、を含む。複数の反射面１６は、導光部１４の延在方向である幅方向Ｘに沿って配列されるとともに、反射構造１５による光反射方向である前後方向Ｚに沿って各々の位置を異ならせて設けられている。各接続面１７は幅方向Ｘに沿って延びる面であり、幅方向Ｘにおいて隣り合う反射面１６同士における幅方向Ｘの一端１６ａおよび他端１６ｂを接続する。複数の反射面１６は反射部１３で反射された光Ｌの各光線Ｌａに対して４５度の角度をなすように設けられている。
【００２６】
本実施形態の反射構造１５において、各反射面１６は前後方向Ｚにおいて各々の位置を異ならせるようにして幅方向Ｘに配列されている。つまり、複数の反射面１６において、幅方向Ｘの手前側（−Ｘ側）に位置する反射面１６は前後方向Ｚの手前側（−Ｚ側）に配置され、幅方向Ｘの奥側（＋Ｘ側）に位置する反射面１６は前後方向Ｚの奥側（＋Ｚ側）に配置される。
【００２７】
図２に示されるように本実施形態の第２光学部材１１において、反射面１３ａの前後方向Ｚの手前側（−Ｚ側）で反射された光線Ｌａは、幅方向Ｘの手前側（−Ｘ側）、すなわち、前後方向Ｚの手前側（−Ｚ側）の反射面１６によって第１光学部材３に向けて反射される。また、反射面１３ａの前後方向Ｚの奥側（＋Ｚ側）で反射された光線Ｌａは、幅方向Ｘの奥側（＋Ｘ側）、すなわち、前後方向Ｚの奥側（＋Ｚ側）の反射面１６により第１光学部材３に向けて反射される。
【００２８】
以上のように第２光学部材１１は、第２面１４ｂの幅方向Ｘの全域から第１光学部材３に向けて光源１０からの光Ｌを出射するようになっている。このようにして、本実施形態の光源部２は複数の平行光束からなる平行光ＬＬを第１光学部材３に向けて出射する。
【００２９】
光源部２から出射された平行光ＬＬは、第１光学部材３に入射する。第１光学部材３は、例えばポリカーボネイトやアクリル等の透明樹脂やガラスなど、空気よりも屈折率の高い光透過性部材からなる。
【００３０】
図４は第１光学部材３の周辺構成を示す断面図である。図４はＹＺ面と平行な面による断面図である。
図４に示すように、第１光学部材３は光源部２（第２光学部材１１）の光出射側、つまり、前後方向Ｚの奥側（＋Ｚ側）に向かって拡がるＶ字の断面形状を有する。第１光学部材３はＺ軸に沿う中心軸３Ａを基準とする線対称の断面形状を有している。第１光学部材３は外面３ａおよび内面３ｂを有する。外面３ａおよび内面３ｂは互いに平行な面である。
第１光学部材３は、光源部２からの平行光ＬＬが入射する光入射部２１と、光入射部２１から入射した平行光ＬＬを出射させる光出射部２２と、を有する。
【００３１】
光入射部２１は、光源部２（第２光学部材１１）に対向する第１光学部材３の外面３ａに設けられる。光入射部２１は、第１入射面（第１入射部）２１ａと、第１入射面２１ａとは異なる位置に設けられる第２入射面（第２入射部）２１ｂと、を有する。第１入射面２１ａは、第１光学部材３のＶ字先端部２３に設けられたＶ溝２３ａで構成される。Ｖ溝２３ａは幅方向Ｘに沿って延びるように第１光学部材３のＶ字先端部２３に設けられている。
【００３２】
光出射部２２は、第１光学部材３の内面３ｂに設けられている。本実施形態の光出射部２２は、第１領域２２ａと第２領域２２ｂとを有する。第１領域２２ａは、第１入射面２１ａにおける光源部２と反対側（前後方向Ｚの奥側（＋Ｚ側））に設けられる。第２領域２２ｂは、第１領域２２ａと異なる位置に設けられる。
【００３３】
以下の説明において、光入射部２１に入射する平行光ＬＬのうち第１入射面２１ａに入射する光を第１入射光ＬＬ１と称し、光入射部２１に入射する平行光ＬＬのうち第２入射面２１ｂに入射する光を第２入射光ＬＬ２と称す。
【００３４】
第２入射面２１ｂに入射した第２入射光ＬＬ２は、第２入射面２１ｂによって中心軸３Ａに近づく方向に屈折されて第１光学部材３内に入射する。第２入射面２１ｂで屈折された第２入射光ＬＬ２は比較的大きい入射角度、すなわち、臨界角よりも大きい角度で第１光学部材３の内面３ｂに入射する。第２入射光ＬＬ２は内面３ｂを透過し、外部に出射される。すなわち、第２入射光ＬＬ２は第１光学部材３を透過し中心軸３Ａ寄りにオフセットして外部に出射される。本実施形態の第１光学部材３において、光出射部２２を構成する内面３ｂのうち、第２入射光ＬＬ２を外部に出射させる領域が上記第２領域２２ｂに相当する。
【００３５】
本実施形態の第１光学部材３において、光出射部２２は光拡散構造２４を有する。光拡散構造２４は、例えば、第１光学部材３の内面３ｂの表面に形成したシボ加工面（粗面）で構成される。なお、光拡散構造２４は光出射部２２を構成する内面３ｂのうち少なくとも第２領域２２ｂのみに設けられていればよく、内面３ｂの全体に亘って設けられていてもよい。
【００３６】
本実施形態の第１光学部材３によれば、光出射部２２に上記光拡散構造２４を設けることで、上記第２領域２２ｂから第２入射光ＬＬ２を拡散させた状態で出射することができる。これにより、光出射部２２は、第２領域２２ｂの全体から均一に光を出射すると共に、中心軸３Ａと平行な＋Ｚ方向以外のＹ方向斜め奥側にも第２入射光ＬＬ２が内面３ｂから出射するため、前後方向の奥側からの発光の視認（＋Ｚ方向）以外にも上下方向（±Ｙ方向）から見た発光の視認性も向上することができる。
【００３７】
一方、第１入射面２１ａに入射した第１入射光ＬＬ１は、第１入射面２１ａによって中心軸３Ａから離れる方向に屈折されて第１光学部材３内に入射する。第１入射面２１ａで屈折された第１入射光ＬＬ１は比較的小さい入射角度、すなわち、臨界角よりも小さい角度で第１光学部材３に入射する。第１入射光ＬＬ１は内面３ｂと内面３ｂに平行な外面３ａとの間で全反射される。すなわち、第１入射光ＬＬ１は内面３ｂおよび外面３ａ間で全反射されながら第１光学部材３内を伝搬する。つまり、第１入射面２１ａに入射した第１入射光ＬＬ１は第１入射面２１ａの前後方向Ｚの奥側（＋Ｚ側）にそのまま透過して出射されない。
本実施形態の第１光学部材３において、光出射部２２を構成する内面３ｂのうち、第１入射光ＬＬ１および第２入射光ＬＬ２が入射しない領域が上記第１領域２２ａに相当する。
【００３８】
本実施形態の第１光学部材３は、上述のように内面３ｂに設けられた光拡散構造２４を有している。そのため、第１光学部材３内を伝搬する第１入射光ＬＬ１は、内面３ｂに設けられた光拡散構造２４に入射した際、一部の成分が反射され、一部の成分が透過して出射される。このように光出射部２２の第２領域２２ｂは、第１入射光ＬＬ１に対する光出射機能と光反射機能を併せて有するように構成されている。
よって、本実施形態の第１光学部材３では、第１入射面２１ａから第１光学部材３内に入射した第１入射光ＬＬ１が第１光学部材３内を伝搬しつつ光出射部２２の第２領域２２ｂから出射されることができる。よって、第１光学部材３内を伝搬する第１入射光ＬＬ１を無駄なく外部に取り出すことができ、光利用効率の低下を抑制することができる。
【００３９】
以上のように本実施形態の第１光学部材３によれば、光源部２から出射した平行光ＬＬを光出射部２２のうちの第１領域２２ａから出射させることなく、第２領域２２ｂのみから出射させることができる。すなわち、本実施形態の車両用信号灯１によれば、光出射部２２の第１領域２２ａに対応する部分に帯状の非発光部分（暗部）ＤＰを生じさせたパターン光ＬＰを出射することができる。つまり、本実施形態の車両用信号灯１によれば、遮光部材等を用いずに、暗部ＤＰを含んだパターン光ＬＰを生成することができる。さらに、第１領域２２ａの表面は、シボ加工のない平坦面にすることにより、第１領域２２ａに向かう光を全反射させやすくするため、第１領域２２ａから抜ける光線が減り、より明暗差を大きくした暗部ＤＰを含んだパターン光ＬＰを生成することができる。
【００４０】
ところで、本実施形態の車両用信号灯１において、例えば、非点灯時の意匠性の要望によって、第１光学部材３のＶ字形状の開き度合い（開き角）を変化させることも考えられる。このように第１光学部材３のＶ字形状の開き角を変化させる場合において、暗部ＤＰの幅を最大化するためにはＶ溝２３ａの開き角も併せて調整する必要がある。以下、第１光学部材３のＶ字形状およびＶ溝２３ａの開き角の関係について説明する。
【００４１】
図５は第１光学部材３のＶ字形状およびＶ溝２３ａの開き角の関係を示す拡大図である。図５において、第１光学部材３のＶ字形状の開き角である第１開き角度θ１は、上下方向Ｙに沿う第１基準軸ＣＬ１に対する内面３ｂの角度で規定される。また、暗部ＤＰの幅を規定するＶ溝２３ａの開き角である第２開き角度θ２は、上記第１基準軸ＣＬ１と平行な第２基準軸ＣＬ２に対する第１入射面２１ａの角度で規定される。また、第２入射光ＬＬ２のうち第１入射面２１ａと第２入射面２１ｂとの境界部に入射する光を第２境界光ＬＬ２ａとする。また、第１入射光ＬＬ１のうち第１光学部材３の中心軸３Ａ近傍に入射する光を第１境界光ＬＬ１ａとする。
【００４２】
図５に示すように、内面３ｂに対する第１境界光ＬＬ１ａの入射位置が内面３ｂに対する第２境界光ＬＬ２ａの入射位置よりも中心軸３Ａ側となると、第１境界光ＬＬ１ａが内面３ｂに形成された光拡散構造２４によって外部に出射されるおそれがある。すなわち、暗部ＤＰの幅が狭まるおそれがある。
【００４３】
これに対して、内面３ｂに対する第２境界光ＬＬ２ａの入射位置が内面３ｂに対する第１境界光ＬＬ１ａの入射位置よりも中心軸３Ａ側となると、第１境界光ＬＬ１ａは第２境界光ＬＬ２ａよりも第１光学部材３の外側（中心軸３Ａから離間する側）の内面３ｂに入射するようになる。つまり、暗部ＤＰの上下方向Ｙの幅が最大となる。
【００４４】
第１入射面２１ａの上下方向Ｙの幅Ｈ１及び位置は第１領域２２ａの上下方向Ｙの幅Ｈ２及び位置と対応する。具体的に第１入射面２１ａの上下方向Ｙの幅Ｈ１と位置は、第１領域２２ａの上下方向Ｙの幅Ｈ２と位置とほぼ同じであり、暗部ＤＰの上下方向Ｙの幅と位置は、第１領域２２ａと同じか、少し狭くなる。
【００４５】
暗部ＤＰを最大化させる手段として、第１開き角度θ１が鈍角傾斜（例えばθ１が３０度未満）の意匠面を形成したい場合、第１境界光ＬＬ１ａが内面３ｂで全反射するように、つまり内面３ｂに向かう第１境界光ＬＬ１ａの角度が臨界角以上になるように、第２開き角度θ２を設定するか、又は、第１境界光ＬＬ１ａが内面３ｂで出射するように、内面３ｂに向かう第１境界光ＬＬ１ａの角度が臨界角以下になるように、第２開き角度θ２を設定する。
【００４６】
また、第１境界光ＬＬ１ａが内面３ｂで全反射する場合、外面３ａから入射した第２境界光ＬＬ２ａが内面３ｂから出射する位置が暗部ＤＰの端になるが、好ましくは、第２境界光ＬＬ２ａの出射位置が、内面３ｂで最初に全反射した位置と同じか、当該全反射面した位置より上下方向の外側（この場合は＋Ｙ方向、中心軸３Ａから遠ざかる）になるように、第１入射面２１ａの幅Ｈ１（上下方向Ｙの幅）を広げるとともに第１光学部材３の厚みを増やすように調整すれば、暗部ＤＰの幅を最大化することができる。なお、第１入射面２１ａの幅Ｈ１を拡げること、及び第１光学部材３の厚みを増やすことのいずれか一方のみを調整することで、暗部ＤＰの幅を最大化してもよい。
【００４７】
第１境界光ＬＬ１ａが内面３ｂで出射する場合、内面３ｂから出射した第１境界光ＬＬ１ａは、第１入射面２１ａと内面３ｂにて上下方向の外側（この場合は＋Ｙ方向、中心軸３Ａから遠ざかる）に２回屈折するので、前後方向Ｚの奥側（＋Ｚ側）から見た暗部ＤＰに第１境界光ＬＬ１ａが向かうことはなく、暗部ＤＰの暗さは保持される。好ましくは、第２境界光ＬＬ２ａの出射位置が、第１境界光ＬＬ１ａが内面３ｂから出射する位置と同じか、当該全反射面した位置より上下方向の外側（この場合は＋Ｙ方向、中心軸３Ａから遠ざかるよう）に、第１入射面２１ａの幅Ｈ１（上下方向Ｙの幅）を広げるとともに第１光学部材３の厚みを増やすように調整すれば、暗部ＤＰの幅を最大化することができる。なお、第１入射面２１ａの幅Ｈ１を広げること、及び第１光学部材３の厚みを増やすことのいずれか一方のみを調整することで、暗部ＤＰの幅を最大化してもよい。
【００４８】
例えば、第１開き角度θ１が１０度の場合、第２開き角度θ２を５２度に設定すれば、任意の第１入射面２１ａの幅Ｈ１と第１光学部材３の厚みで暗部ＤＰの幅を最大化できる。また、例えば、第１開き角度θ１が２０度の場合、第２開き角度θ２を４６度に設定すれば、任意の第１入射面２１ａの幅Ｈ１と第１光学部材３の厚みで暗部ＤＰの幅を最大化できる。
【００４９】
暗部ＤＰを最大化させる手段として、第１開き角度θ１が鋭角傾斜（例えばθ１が３０度以上）の意匠面を形成したい場合、第１境界光ＬＬ１ａが内面３ｂで全反射するように、つまり、内面３ｂに向かう第１境界光ＬＬ１ａの角度が臨界角以上になるように、第２開き角度θ２を設定する。
【００５０】
この場合、外面３ａから入射した第２境界光ＬＬ２ａが内面３ｂから出射する位置が暗部ＤＰの端になるが、好ましくは、第２境界光ＬＬ２ａの出射位置が、内面３ｂで最初に全反射した位置と同じか、当該全反射した位置より上下方向の外側（この場合は＋Ｙ方向、中心軸３Ａから遠ざかる）になるように、第１入射面２１ａの幅Ｈ１（上下方向Ｙの幅）を広げるとともに第１光学部材３の厚みを増やすように調整すれば、暗部ＤＰの幅を最大化することができる。なお、第１入射面２１ａの幅Ｈ１を広げること、及び第１光学部材３の厚みを増やすことのいずれか一方のみを調整することで、暗部ＤＰの幅を最大化してもよい。
例えば、第１開き角度θ１が３０度の場合、第２開き角度θ２を３５度に設定すれば、任意の第１入射面２１ａの幅Ｈ１と第１光学部材３の厚みで暗部ＤＰの幅を最大化できる。
【００５１】
以上のように本実施形態の車両用信号灯１において、第１開き角度θ１を大きくする場合、つまり第１光学部材３のＶ字形状の開き度合いを小さくする意匠性を採用する場合、Ｖ溝２３ａの第２開き角度θ２を小さくすることで暗部ＤＰの幅を最大化することが可能となる。
【００５２】
本発明は、上記実施形態のものに必ずしも限定されるものではなく、本発明の趣旨を逸脱しない範囲において種々の変更を加えることが可能である。
上記実施形態では、平行光ＬＬを出射する光源部２として、光源１０と第２光学部材１１とを用いる構成を例に挙げたが、光源部２の構成はこれに限定されることはない。例えば、図６に示すように、複数のＬＥＤ素子１０ａから出射する各光Ｌをコリメーターレンズ３０で平行化することで平行光ＬＬを生成する光源部２Ａを採用することもできる。また、図７に示すように、光源１０から出射した光Ｌを第２光学部材１１に代えて、リフレクター３１で平行化することで平行光ＬＬを出射する光源部２Ｂを採用することもできる。
【００５３】
また、上記実施形態では、例えば、テールランプ、ストップランプ、ターンシグナルランプ、バックランプ等の車両用信号灯に本発明を適用する場合を例に挙げて説明したが、本発明の適用範囲はこれに限定されない。例えば、本発明の照明器具は、インテリア照明や展示照明、ミュージアム照明、舞台照明など、一般照明用から特殊照明用まで様々な用途の照明装置にも適用することが可能である。
【符号の説明】
【００５４】
１…車両用信号灯（照明器具）、２，２Ａ，２Ｂ…光源部、３…第１光学部材、１０…光源、１１…第２光学部材、１２…光入射部（第３入射部）、１３…反射部、１６…反射面、１４…導光部、１５…反射構造、２１…光入射部、２１ａ…第１入射面（第１入射部）、２１ｂ…第２入射面（第２入射部）、２２…光出射部、２２ａ…第１領域、２２ｂ…第２領域、２３…Ｖ字先端部、２３ａ…Ｖ溝、２４…光拡散構造、ＬＬ…平行光（コリメートされた光）、Ｈ１…幅（第１入射面の幅）、Ｈ２…幅（第１領域の幅）。
【図１】
2022002185.tif 000003
【図２】
2022002185.tif 000004
【図３】
2022002185.tif 000005
【図４】
2022002185.tif 000006
【図５】
2022002185.tif 000007
【図６】
2022002185.tif 000008
【図７】
2022002185.tif 000009